(57)【要約】【課題】  延伸斑および巻き取り後に起こる巻きしまりなどによる品位の悪化を防ぎ、かつクリール準備などの準備作業を効率化し更に糸掛け性、糸切れ後の再糸掛け性を改善した加熱延伸装置を提供する。【解決手段】  少なくとも熱可塑性合成繊維からなる未延伸糸条の供給手段(1)、互いに回転速度差を有する供給回転体(2)と引取回転体(3)との間に供給された前記糸条(Y)を所定の倍率で延伸する延伸手段(2)(4)、前記供給回転体(2)と前記引取回転体(4)の間に配設されかつ前記糸条(Y)を加熱して熱可塑化するための加熱手段(3)、そして前記延伸手段(2)(4)と前記加熱手段(3)とによって加熱延伸された糸条(Y)を巻き取るための巻取手段(5)を備え、その際、前記延伸手段(2)(4)と前記加熱手段(3)とが下方から上方へ走行する糸条を加熱延伸するように配設され、更に前記供給手段(1)が前記延伸手段(2)(4)の下方に配設されていることを特徴とする加熱延伸装置である。【選択図】      図１
2005068591.tif 000002
【特許請求の範囲】
【請求項１】
少なくとも熱可塑性合成繊維からなる未延伸糸条の供給手段、互いに回転速度差を有する供給回転体と引取回転体との間に供給された前記糸条を所定の倍率で延伸する延伸手段、前記供給回転体と前記引取回転体の間に配設されかつ前記糸条を加熱して熱可塑化するための加熱手段、そして前記延伸手段と前記加熱手段とによって加熱延伸された糸条を巻き取るための巻取手段を備え、その際、前記延伸手段と前記加熱手段とが下方から上方へ走行する糸条を加熱延伸するように配設され、更に前記供給手段が前記延伸手段の下方に配設されていることを特徴とする加熱延伸装置。
【請求項２】
前記加熱手段が過熱された不飽和水蒸気を前記原糸の走行方向に沿って流して加熱する方式の水蒸気加熱手段である請求項１に記載の加熱延伸装置。
【発明の詳細な説明】
【技術分野】
【０００１】
床面に配置した可動式テーブル上に置いたクリールより原糸を供給し、上方の供給ローラーに糸掛け後更に上方の引き取りローラーの間で蒸気加熱装置によって延伸を行い、原糸クリール直上に設置した巻取機にて巻き取る加熱延伸装置である。
【背景技術】
【０００２】
ポリエステル、ポリアミド、ポリオレフィンなどの熱可塑性ポリマーからなる合成繊維を加熱延伸するための装置は、一般的に原糸の供給手段、前記合成繊維を加熱するための加熱手段、互いに回転速度差を有する供給ローラーと引取ローラーからなる延伸手段、そして、巻取手段によって構成される。
【０００３】
このような加熱延伸装置においては、たとえば特開平６−４９７０４号公報に記載の装置のように、上記の各手段を効率的に配置するために、一般的には加熱手段、延伸手段、及び巻取手段は互いに近接した位置に配設して、原糸の供給手段はこれらの手段より若干離れた位置に集約して配設される。このように原糸の供給手段が離れた位置に配設される理由としては、紡糸工程で巻き取った原糸をまとめて取り扱うことによって、加熱延伸に供する原糸の準備作業を効率化できることが挙げられる。
【０００４】
しかしながら、例えば、図３に示したように、定法にしたがって加熱延伸装置の上方にクリールを設置する場合を考えると、加熱延伸装置を構成する各手段の配置は縦長となる。そうすると、例えば、供給ローラー以降で断糸が発生した場合を考えると、供給ローラーなどの回転体に糸端が取られて巻き付くのを紡糸するために、供給ローラーの手前で糸を切って、そのまま糸を保持して待機させたときに、保持した糸が自重により垂れたりして隣接錘の糸と接触してこの糸に巻き込まれて隣接錘の断糸の原因ともなる。また、クリール上の原糸から供給される糸が解舒中に切れた場合、高い位置にある原糸から糸端を取り出して糸掛けの準備をする必要が生じて非効率である。
【０００５】
そこで、原糸を供給する方法として、加熱延伸装置の背面側より糸通し用の吸引パイプを設け、この糸通し用パイプを介して延伸装置の奥側から糸を送り込む方法が一般に行われるようになってきた。確かに、この方法だと前述のように糸が垂れることがなくなるため、これに起因する隣接錘の糸切れは発生しない。
【０００６】
しかしながら、この場合には、準備作業として糸をパイプに通すという余分な作業が必要となる上に、糸通し用パイプ内へ糸を通すとなると、糸がパイプ内を走行する際にパイプの内壁面と接触することによる走行抵抗が発生し、これによって、糸条に張力がかかる。そうすると、特に高倍率で延伸する目的で紡糸時に生じる配向を抑制した糸を使用する場合には、このときに発生する張力によって延伸斑を伴った冷延伸が行われるために、原糸物性が変化してしまう。このため、目的とする糸強力を安定して得られなくなるばかりでなく、各錘によってパイプ内での張力のかかり方が異なってくるために錘間差も生じ易くなって、糸物性にバラツキを生じ易いという問題を有している。
【０００７】
次に、ポリエステル繊維やポリアミド繊維などの熱可塑性繊維を延伸するという面から考えると、加熱ローラーや熱板などの加熱体に走行する糸条を接触させて予熱を施しながら行うが、この方法では走行糸の片面から伝熱されるため、糸全体を必要な温度にまで昇温するために必要以上に高い加熱温度に設定するか、あるいは加熱時間を取るために何度も加熱ローラーに糸をターンさせることが必要となる。
【０００８】
しかしながら、加熱ローラーの設定温度が高い場合には、熱可塑性合成繊維の延伸時にネックを形成するのに必要な糸温度よりも高くなってしまうと、糸条の延伸点がローラー上に入ってしまい、ローラー上でスリップを起こすために糸がダメージを受ける。また、加熱ローラーに巻き付ける糸条のターン数が多い場合には、糸条が加熱ローラー上をターンしながら走行するにしたがって可塑化が進み、これとともに糸張力が低下して、走行する糸条のゆれが大きくなる。そうすると、延伸斑が生じたり、あるいは多錘の糸条が走行する場合には隣接する糸条同士が接触したりすることにより走行糸がダメージを受けて、毛羽や糸切れの原因となることがある。更に、加熱延伸時に糸条に生じた歪を残したような状態で延伸後すぐに巻き取ると、延伸により生じた糸の歪が十分に取れていないために、巻き取ったあとに糸条パッケージに巻き締めが発生し、糸条パッケージの最内層部の糸条物性は強度、伸度とも低く染着も薄めとなりやすいという問題を有している。
【０００９】
そこで、糸条の延伸開始点がローラー上に入ってしまわないように、実公昭５６−１１１８２号公報において、ピン状ガイドを用いる技術が提案されている。確かに、この従来技術によれば、延伸点を固定する効果が得られるが、熱くなったピン状ガイドによる走行糸のダメージが大きくなって毛羽の原因となり、十分な糸品位を得ることができないという問題がある。
【００１０】
このような背景から、たとえば特開平１−２０７４３７号公報、実公昭５６−１１１８２号公報などにおいて、加熱ローラーや熱板などの加熱体と糸条との間の接触加熱によらずに、加熱した水蒸気を介して走行糸条を加熱する延伸方法が提案されている。このような水蒸気加熱では、加熱を効率的に行うために、水蒸気が凝固する際の潜熱（凝固熱）を利用して、走行する糸条を短時間で効率的に加熱する技術が使用される。
【００１１】
この従来の蒸気延伸方法では、糸条を加熱するための媒体として水蒸気を使用するために、蒸気が外部に漏れないようにすることが必要となる。何故ならば、飽和水蒸気が外部に漏れ出すと、漏れ出した飽和水蒸気は極めて凝縮しやすいために、直ちに凝縮してドレン水となり、製糸設備あるいは製品を汚してしまったり、作業環境を悪化させたりするからであって、このような事態は、工業用の生産設備としては好ましいことではない。
【００１２】
そこで、水蒸気の外部への漏出を防止するために、特開平７−７０８６２号公報や特開平５−３３９８３９号公報において、蒸気延伸装置の糸条の出入り口をから蒸気漏れを防ぐために、ラビリンスシールを使用することが提案されている。しかしながら、飽和水蒸気の潜熱を利用しようとすると、加熱温度を上げるために、飽和水蒸気を高圧に加圧する必要がある。そうすると、しかしながら、ラビリンスシールは、直進する糸条の出入り口のように、直線状の開口部をシールするためには効果的な方法ではなく、しかも、シール使用とする水蒸気の圧力が高くなればなるほどシールが困難となる。このため、ラビリンスシールを強化しようとすると、ラビリンス段数を多くしたり、開口部の間隙を可能な限り狭くしたりすることが必須となる。そうすると、走行糸条がラビリンスシール部と接触してダメージを受ける機会が多くなって、その結果として、走行するマルチフィラメント糸条がフィラメント切れ（単繊維切れ）を起こして毛羽を発生するという問題が生じる。
【００１３】
【特許文献１】特開平６−４９７０４号公報
【特許文献２】特開平１−２０７４３７号公報
【特許文献３】実公昭５６−１１１８２号公報
【特許文献４】特開平７−７０８６２号公報
【特許文献５】特開平５−３３９８３９号公報
【発明の開示】
【発明が解決しようとする課題】
【００１４】
以上に述べた従来技術が有する諸問題に鑑み、本発明は、熱可塑性合成繊維を加熱延伸するに際して、延伸斑および巻取後に起こる巻き締りなどによる糸品位の悪化を防ぎ、かつクリール準備などの準備作業の効率化と、装置の起動時や断糸時における糸掛け性の向上した延伸装置を提供することを目的とする。
【００１５】
更に、本発明は、加熱ローラーや熱板などの加熱体に接触させて加熱延伸する際の延伸点に起因する延伸斑を蒸気加熱延伸を採用して改善すると共に、特に飽和加熱水蒸気を加熱媒体として使用する蒸気加熱延伸が有する水蒸気漏れを防ぐシール部での擦過によって走行糸条が受けるダメージを抑制し、更には、従来のように外部に漏出した飽和蒸気が凝縮して周辺設備および製品を汚したり、作業環境を悪化させたりするのを抑制することができる熱可塑性合成繊維の加熱延伸装置を提供することを目的とする。
【課題を解決するための手段】
【００１６】
床面に配置した可動式テーブル上に置いたクリールより原糸を供給し、上方の供給ローラーに糸掛け後更に上方の引き取りローラーの間で蒸気加熱装置にて延伸を行い、原糸クリール直上に設置した巻取機にて巻き取る延伸装置。
【発明の効果】
【００１７】
延伸斑および巻き取り後に起こる巻き締りなどによる品位の悪化を防ぎ、かつクリール準備などの準備作業を効率化し更に糸掛け性、糸切れ後の再糸掛け性を改善した延伸装置を提供する。
【発明を実施するための最良の形態】
【００１８】
以下、本発明の実施の形態について図面を参照しながら詳細に説明する。
図１は、ポリエステル、ポリアミド、ポリオレフィンなどの熱可塑性ポリマーからなる未延伸の熱可塑性合成繊維に対して加熱延伸を行うための、本発明に係わる加熱延伸装置の概略構成を例示した模式説明図であって、図１（ａ）は正面図、そして図１（ｂ）は側面図をそれぞれ示す。
【００１９】
前記図１において、Ｐは糸条パッケージであって、この糸条パッケージＰは紡糸工程などで未延伸の熱可塑性合成繊維（以下、単に「糸条」と称する）を巻取機に巻き取られたものである。また、Ｙは前記糸条パッケージから供給される糸条を示し、この糸条Ｙは通常の状態であればマルチフィラメント（単繊維群）から構成されているが、モノフィラメントであっても構わない。
【００２０】
次に、１は未延伸糸条の供給手段（通常、「クリール」などと呼ばれる）であって、糸条パッケージＰを挿入するペグ１ａ、糸条Ｙの解舒ガイド１ｂなどを含んで構成されている。なお、図１では一つの糸条パッケージＰから一本の糸条Ｙを取り出して供給する例を示したが、２本、４本、６本などの多数本の糸条を同時に供給して、各糸条を巻取機で巻き取る構成として、生産性を上げるようにしても良い。なお、５は糸条Ｙを巻き取るための前記巻取機であって、その詳細説明を省略するが、図１の実施形態は周知のリングとトラベラとを使用して、糸条に実撚りを掛けながら巻き取る延撚巻取機を示している。ただし、図１の実施形態は、延伸糸に撚りを掛けながら延撚巻取機を示したが、本発明はこのような実施態様に限定されることなく、実撚りを掛けない通常の巻取機であっても構わない。
【００２１】
また、２と４は回転速度差を有する一対の回転体であって、この一対の回転体２と４との間で糸条Ｙを走行状態で把持しながら、その回転速度比に対応して、所定の延伸倍率で糸条Ｙを引き伸ばす役割を果たしている。したがって、本例ではこの「一対の回転体」が延伸手段を構成する。このとき、２は糸条の供給回転体、そして、４は糸条の引取回転体であって、これら回転体２と４は図示の矢印方向に回転する。したがって、糸条Ｙは下方から上方へ走行することとなる。なお、前記回転体２と４は、それぞれ周知のセパレートローラー２ｂと４ｂを有しており、このセパレートローラー２ｂと４ｂによって、主ローラー２ａと４ａに複数回ターンさせられた糸条Ｙが、主ローラー２ａと４ａ上で重なり合って走行しないようにされる。
【００２２】
更に、３は水蒸気を利用して走行する糸条Ｙを加熱するための加熱手段であって、図示したように、回転体２と４の間に設置され、糸条Ｙを所定の温度に加熱するために過熱された（スーパーヒートされた）不飽和水蒸気を使用する。なお、この過熱された不飽和水蒸気は、その詳細説明を省略するが常套手段によって所望の温度に制御されていることは言うまでもない。例えば、通常の製糸設備において常用される飽和水蒸気をスーパーヒートするための過熱手段（図示せず）を設け、その温度を周知の熱電対のような温度検出手段によって検出し、このとき検出した温度が所定の温度となるように温度制御手段（図示せず）によってフィードバック制御することによって常に設定値に維持される。
【００２３】
本発明の加熱延伸装置は、以上に述べたように構成されるが、糸条パッケージＰから未延伸糸条を供給するための前記供給手段１は延伸手段を構成する回転体２と４より下方に配設することが肝要である。何故ならば、このように供給手段１を回転体２と４より下方に設置することによって、延伸処理の途中または糸条パッケージＰからの糸条Ｙの解舒時に糸切れが発生し、これによって糸が下方に垂れたとしても、糸条Ｙが垂れた下方には回転体が存在しないので、切断した糸端が巻きつく対象が無いからである。また、隣接錘に関しても、同様においても糸条の供給手段が回転体の下方に設けられているため、ある錘に糸切れが発生しても、その隣接錘に糸切れが伝播することがなくなる。なお、図１の例では、糸条パッケージＰから解舒される糸条Ｙの供給手段１が、巻取機５の上方に設けられているが、この両者の位置関係としては巻取機５が糸条Ｙの供給手段１の上方に設けることがより好ましい。
【００２４】
ここで、延伸手段の一部を構成する引取回転体４は、本発明の装置のレイアウト上、その最上部に位置することも本発明の持つ大きな特徴であって、この特徴のために、引取回転体４から巻取機５までの糸条Ｙの走行距離を長く取れる。このため、加熱延伸処理の間に糸条中に発生した歪を緩和させるための時間が十分に取れるほか、加熱延伸中に受けた糸条Ｙが持つ熱がこの部分で十分に放熱される。このため、延伸中に生じた糸条Ｙの内部歪が緩和されると共に、糸条Ｙの温度も十分に低下し、これによって、特に巻糸体の再内層で顕在化しやすい製品の巻き締りによる異常物性の発生を抑制することができる。
【００２５】
次に、本発明の加熱延伸装置においては、糸条Ｙの加熱手段３として、過熱（スーパーヒート）された不飽和水蒸気を使用することを一大特徴とするので、この加熱手段３の実施態様例について、図２を参照しながら詳細に説明する。なお、図２中、図（ａ）は模式正断面図図、図（ｂ）は模式側面図、そして、図（ｃ）は模式平面図をそれぞれ表す。
【００２６】
前記図２において、図（ａ）は、前記糸条加熱手段３の模式正断面図図、図（ｂ）は前記糸条加熱手段３の模式側面図、そして、図（ｃ）は前記糸条加熱手段３の模式平面図をそれぞれ表す。このとき、本発明の糸条加熱手段３は、図示したように、糸条Ｙを内部で加熱するための加熱容器３ａ、水蒸気供給管３ｂ、水蒸気排出管３ｃ、糸条の走行空間３ｄ、糸条入口３ｅ、糸条出口３ｆ、水蒸気供給口３ｇ、水蒸気排出口３ｈ、糸通し用スリット３ｉ、そしてスリットの開閉手段３ｊなどを備えて構成される。
【００２７】
以上のように構成される本発明の条加熱手段３は、過熱（スーパーヒート）された不飽和水蒸気を生成するが。この過熱水蒸気はその温度を所定の設定温度に過熱された状態で水蒸気供給管３ｂを介して水蒸気供給口３ｇへ供給され、これによって、加熱容器３ａ内に形成された糸条の走行空間３ｄへと導入される。この走行空間３ｄへ導入する水蒸気は飽和水蒸気を過熱処理して不飽和状態にて使用するのが好ましい。何故ならば、飽和水蒸気では走行空間３ｄへ噴射された後、糸条Ｙと共に加熱容器３ａから漏れ出すと、冷たい外気に接触して急速に凝縮して、周囲設備や製品を汚したり、発生したドレン水が垂れたりして作業環境を悪化させる。
【００２８】
また、延伸点の固定という観点からも、糸条Ｙの急速加熱を行うには蒸気温度が高温であることが必要であるが、飽和水蒸気であれば、蒸気圧力を上げて温度を上げざるを得ず蒸気流量が増大して糸ゆれを惹起したり、高圧に起因する蒸気漏れの増大を惹起したりするため好ましくない。
【００２９】
なお、前記糸条加熱手段３の加熱容器３ａには、延伸中に糸条Ｙが貫通して走行するための糸条Ｙの走行空間３ｄが形成され、その両端部には糸条Ｙの入口３ｅと出口３ｆが形成されている。また、前記走行空間３ｄには、過熱された不飽和水蒸気が糸条Ｙの走行方向に沿って並流させるように形成された水蒸気供給口３ｇと水蒸気排出口３ｈとが開口している。ここで、前者の水蒸気供給口３ｇは、走行糸条Ｙに対して３０〜６０°の噴射角度を形成するように糸条Ｙの進行方向に向かって走行空間３ｄに開口し、後者の水蒸気排出口３は、前記走行糸条に対して３０〜６０°の傾斜角度を形成して前記加熱容器３ａの外部へ向かって水蒸気を排出開口が走行空間３ａに形成されている。
【００３０】
したがって、加熱容器３ａ内に供給された水蒸気は、糸条Ｙの進行方向に対して走行空間３ｄへ噴出され、糸条Ｙの走行方向への推進力を与えながら走行空間３ａを糸条Ｙと並流して水蒸気排出口３ｈから加熱容器３ａ外へ流出することによって排出される。なお、このときの糸条Ｙと水蒸気が並流することによって発生させられた糸条Ｙｋ走行を推進する推進力は、糸条加熱手段３内での延伸張力を低減させる効果も有している。また、走行する糸条Ｙは加熱容器３ａの走行空間３ｄへの導入された時点で直ちに水蒸気供給口３ｇから供給される高温の水蒸気により急速に加熱されるので、延伸点を固定化することができ、これによって、供給回転体２を非加熱にできるため、供給回転体２に糸条Ｙを何回も巻回する必要が無くなり、延伸点が供給回転体２に入ることもなくなる。
【００３１】
なお、走行空間３ｄへ流入した過熱水蒸気は走行する糸条Ｙの周囲を取り囲んで流れるため、糸条Ｙは過熱された不飽和水蒸気から伝熱される顕熱によって糸条Ｙの全周から加熱される。しかも、本発明では過熱された不飽和水蒸気を使用するために、加熱容器３ａ外へ排出された過熱水蒸気は直ぐに凝縮することはないのに対して、従来の水蒸気加熱装置では、熱伝達効率を上げるために飽和水蒸気の潜熱を利用しようとするため、加熱容器３ａから排出されると、直ちに凝縮してドレン水となって、製品や周辺設備に付着したり、作業環境を著しく悪化させたりする。
【００３２】
また、本発明の加熱手段３には、加熱容器３ａ内に導入された大部分の過熱水蒸気を排出するための水蒸気排気口３ｈが設けてられているとはいえ、本発明の加熱手段３は従来装置のようにラビリンスシール構造を持たない。このため、糸条Ｙが加熱容器３ａを貫通して走行する際に、糸条出口３ｆから水蒸気が若干漏れ出るこことを回避することができない。このため、長時間にわたって過熱水蒸気を漏洩させ続けることは問題である。そこで、特に、糸条Ｙを下方走行するような状態に加熱手段３を取り付けた場合をも含めて、少なくとも加熱容器３ａを囲繞する箱体を設けるのが好ましく、その際、糸条Ｙの引取回転体４（引取ローラー）をも囲うように箱体６を設置し、この箱体中に漏れ出た水蒸気を排気手段７によって排出することが好ましい。
【００３３】
なお、図２で糸条出口の走行路の間隙は狭いほうが好ましいが、本発明ではある程度の水蒸気漏れを許容できるため、その間隙を２ｍｍより大きくして、走行する糸条Ｙに糸ゆれが生じても擦過損傷が生じるのを低減することが好ましい。また、この間隙をあまりにも狭くするのは、その間隙調整が困難となるため、作業上の観点から２ｍｍより大きくすることが好ましい。
【００３４】
ただし、ここで念のために付言しておくと、糸条入口３ｅは、水蒸気供給口３ｇから噴き出される水蒸気によるエジェクター作用によって、走行糸条と共に外部から空気が流入する条件を採用するため、ここからの水蒸気漏れは発生しない。そこで、この点を考慮して、糸条出口３ｆから漏れ出る過熱水蒸気の漏れ対策として、糸条Ｙを下方から上方へと走行させ、大気中に拡散させることが好ましい。何故ならば、本発明は、巻取機５によって巻き取られた延伸済み製品や糸条パッケージＰは延伸手段２と４と加熱手段３の下方には位置させることを特徴とするものであるから、これら製品や糸条パッケージＰに対して漏れ出た過熱水蒸気が接触することによって、余分な熱的環境に曝されることがないからである。更には、作業環境中に漏れ出た水蒸気が大気中に拡散して凝縮し、凝縮したドレン水の液垂れにより加熱延伸装置自体や製品に付着したりすることがなくなるからである。
【００３５】
このとき、水蒸気排出口３ｈが走行糸条Ｙに対して３０〜６０°の傾斜角度θ２を形成して走行空間３ｄから加熱容器３ａの外部へ向かって形成されていることが好ましく、この角度θ２が３０度よりも小さいと、導入された水蒸気はほとんど水蒸気排出口３ｈから排気されずに、走行糸条Ｙと共に糸条出口３ｆを直進して糸条引取側回転体２（引取ローラー）に当たってしまい、水蒸気排出口３ｈを設置した効果を得ることができない。なお、水蒸気排出口３ｈには水蒸気を排気するために周知のブロアのような排風装置あるいは吸引装置を設けてもかまわないが、強制的に大量の排気を行うと、糸条入口３ｅから流入する空気量が増大して、糸条Ｙの加熱効果を低減させると共に、糸ゆれをも惹起するという事態には十分に配慮する必要がある。なお、このような強制的な水蒸気の排気を行わずに水蒸気の自然なの流れによる排気効果を得る上で、角度θ２を３０°〜６０°とすることが好ましい。
【００３６】
また、水蒸気供給口３ｇから走行空間３ｄを走行する糸条Ｙに対して水蒸気を噴射するための噴射角度θ１も３０〜６０°とすることが好ましい。何故ならば、この噴射角度θ１が３０°よりも小さいと、走行空間３ｄへ導入した水蒸気はほとんど排気されず走行糸条Ｙと共に糸条出口３ｆを直進して糸条引取側回転体２（引取ローラー）に当たってしまい、水蒸気排出口３ｈを設置した効果を得ることができないからである。また、糸条入口３ｅから大量の外気を吸引してしまって、過熱水蒸気による糸条Ｙの加熱効果が損なわれる。また、噴射角度が６０°よりも大きくなると、導入した水蒸気が走行糸条の上流側へと逆流して糸条入口３ｅから漏れ始め、加熱手段３による急速加熱の効果が得にくい。
【００３７】
本発明は、過熱された不飽和水蒸気を使用して糸条Ｙを加熱しながら蒸気延伸をするが、このとき延伸手段として使用する糸条引取側回転体２（引取ローラー）は非加熱である方が、加熱手段３による急速加熱を行う際に、より良好な延伸点の固定効果が得られる。また、供給回転体２の表面摩擦特性などの要因によって、糸条Ｙがこの供給回転体２上でスリップして、供給速度が変動する可能性がなければ、図１に示すように供給回転体２に糸条Ｙを何度もターンをさせる必要はなくなる。そうすると、走行糸条Ｙを所定の倍率に加熱延伸するための加熱延伸装置として、簡単で安価な設備となる上に、糸条Ｙを何度も回転体２に巻回することがなくなって作業性が改善される。
【００３８】
前記の作業性の改善に際しては、図２（ｂ）及び（ｃ）に示したように、加熱容器３ａの側面の全面に渡って糸条Ｙの走行方向に沿って、走行空間３ｄへ走行状態の糸条Ｙを導くための糸通し用スリット３ｉを設けることによって、複数本の糸条Ｙを一度に糸通しできるような構造とすることが好ましい。ただし、このスリット３ｉから走行糸条Ｙを加熱容器３ａへと糸掛けするに際して、スリット３ｉの開閉手段３ｊを設けて、糸掛け作業中のみスリット部を開放し、糸掛けが完了した後はスリット部を閉塞できるようにするのが好ましい。
【産業上の利用可能性】
【００３９】
本発明の熱可塑性合成繊維の加熱延伸装置は、ポリエステル、ポリアミドなどの熱可塑性ポリマーからなる延伸糸を得るために、合成繊維糸条を加熱延伸するための装置して好適に利用することができる。
【図面の簡単な説明】
【００４０】
【図１】本発明の１つの実施態様を模式的に例示した概略装置構成図である。
【図２】本発明で用いる過熱不飽和水蒸気による加熱手段の１つの実施態様を模式的に例示した説明図であって、（ａ）正断面図、（ｂ）側面図、（ｃ）平面図をそれぞれ示す。
【図３】従来型の加熱延伸装置のを模式的に例示した概略装置構成図である。
【符号の説明】
【００４１】
１    糸条の供給手段
１ａ  ペグ
１ｂ  解舒ガイド
２    糸条の供給回転体
２ａ  主ローラー
２ｂ  セパレートローラー
３    加熱手段
４    糸条の引取回転体
４ａ  主ローラー
４ｂ  セパレートローラー
５    巻取機
６    箱体
７    排気手段
Ｐ    糸条パッケージ
Ｙ    糸条
【図１】
2005068591.tif 000003
【図２】
2005068591.tif 000004
【図３】
2005068591.tif 000005